(57)【要約】      （修正有）【課題】短時間で個々の識別ナンバーや会社名・店名等の情報を確認・集計・記録される事のできるパチンコの玉やスロットのコインを提供する。【解決手段】これまでのパチンコの玉やスロットのように会社名・店名等の確認を目視でなく、又景品との交換時、大量数を集計機で数えるのではなく、パチンコの玉やスロットのコインの内部に個々の識別ナンバーや会社名・店名等の情報を記録できるＩＣタグやＩＣチップを組み込む事で、店内の必要なポイントに専用のリーダーや情報読み取り機を設置し、使用する事で遊戯者に貸し出しするときの数量から使用した数量、そして、当たる事で出された数量など、又景品との交換時の数量を情報読み取り機を組み込んだ貸出機やパチンコ台、又スロットマシン、そして、集計機で情報を読み取り、数量の確認、集計及び収録する事ができ、店舗内での流れを透明化し、健全な遊戯業へとする事ができる。【選択図】図１
2012170803.tif 000002
【特許請求の範囲】
【請求項１】
パチンコの玉やスロットのコインの内部にＩＣタグやＩＣチップを組み込む事で、店内にて使用されるパチンコの玉やスロットのコイン等に、個々の識別ナンバー・店名・会社名等、管理、監督に必要な情報を専用のリーダー等を使って書き込んだり、読み取り機等で読み取る事で、自動的に店舗でのパチンコの玉やスロットのコインを遊技者に貸し出した数量、又遊技の為使用した数量からその遊技により当たり出た数量と遊技後に残ったパチンコの玉やスロットのコインを景品と交換する為に、集計機によりカウントされる数量までも読み取り集計する事ができる為、遊技事業でのパチンコの玉やスロットのコインの貸し出しした数、機内での使用、又出された数、そして景品交換の為、交換した数を正確に把握、確認する事で公益法人のような透明で健全な遊戯業界へと進歩・発展し、遊戯業を主管とする監督官庁が管理、監督しやすくする為に、使用される情報を記録できるＩＣタグやＩＣチップをパチンコの玉やスロットのコイン内部に組み込んだパチンコの玉とスロットのコイン。
【発明の詳細な説明】
【技術分野】
【０００１】この発明は、パチンコやスロットのコインの内部にＩＣタグやＩＣチップを組み込む事で、遊技者がパチンコの玉やスロットのコインを購入し、貸し出しを受けた時点から、パチンコの玉やコインの販売機の中に組み込んだＩＣタグやＩＣチップの情報読み取り機により、個々の識別ナンバー・店名など、また貸出数量の情報を把握し、次にパチンコ台やスロットマシンを使用した機械での出入りの数量や流れをもパチンコ台やスロットの機械内に設置した情報読み取り機により把握し、最終的に遊技者の手元に残ったパチンコの玉やコインを景品と交換する為の数量をカウント、集計するときも集計機に設置した情報読み取り機で読み取る事ができ、瞬時に他店の製品であるか、又交換の数量までも確認し、集計する事で、購入での貸し出しから交換までの一連の数量の流れを把握し、資料（データー）としても残す事ができる事に関する物である。
【背景技術】
【０００２】現在、パチンコやスロットの遊技において、遊技者にパチンコの玉やスロットのコインがどの位の数量購入され、貸し出しされたのか、そして、そのパチンコの玉やスロットのコインが遊技機内で、どのように使用され、又出されたか等の動きや流れ等を把握し、最終的にどの情報を持ったパチンコの玉やスロットのコインが景品交換の為、交換されたかは、ＩＣタグやＩＣチップがパチンコの玉やコイン内部に組み込まれる事で、他店の品、又は物であるかも確認でき、購入により貸し出しされた数量から、遊技機で使用した数、又それにより出された数、そして景品との交換の為、集計された数量までを集計、把握し、その情報を資料としても残す事が望まれていた。
【発明の概要】
【発明が解決しようとする課題】
【０００３】これまでのパチンコの玉やスロットのコインに関して、遊技者が購入し、貸し出されたパチンコの玉やスロットのコインがパチンコ台やスロットマシンで使用された事による機内での流れは把握する事ができなかった。又、遊技後、パチンコの玉やスロットのコインを景品と交換する為、数量を集計するとき、他店の玉であるか、又コインであるかの区別は大量な数の為、個々に目視での確認はできなかったので、これらに関する欠点を取り除き、瞬時に購入での貸し出しの数量からパチンコ台やスロットマシンで使用される機械内での出入りの数、又その後、景品との交換の為に集計機によりカウントされる数量までと、他店の品の確認の為の必要な情報をパチンコの玉やスロットのコイン内部にＩＣタグやＩＣチップを組み込む事で、確認できるようにと考えられたパチコンの玉とスロットのコインである。
【課題を解決する為の手段】
【０００４】これまでのパチンコの玉やスロットのコインにＩＣタグやＩＣチップを組み込む事でパチンコの玉やスロットのコイン内部のＩＣタグやＩＣチップに書き込まれた必要な情報を店内に設置されたパチンコの玉やスロットのコインの貸し出し交換機、又パチンコ台やスロットマシン等に、そして、景品と交換する為、カウントをする集計機等に情報の読み取り機を組み込み、その読み取り機で情報を読み取り、一連の情報を確認、把握する為に使用できるように考えられたパチンコの玉とスロットのコイン。
【発明の効果】
【０００５】パチンコの玉やスロットのコイン内部に個々の識別ナンバー・店名等の情報を記録したＩＣタグやＩＣチップを組み込む事で遊技者がパチンコの玉やスロットのコイン等の貸出機により、購入し、貸し出しを受けた数から遊技者が使用した数、又当たりにより出された数など、そして、残ったパチンコの玉やスロットのコインを景品との交換の為、集計機により、その数量をカウントされるまでの数量を情報の読み取り機で読み取り、把握・確認・集計する事ができる為、公益事業のような透明で健全な経営の遊技事業として提供する事ができる。
【図面の簡単な説明】
【０００６】
【図１】パチンコの玉の正面図
【図２】パチンコの玉の立面図
【図３】スロットのコインの正面図
【図４】スロットのコインの立面図
【図５】基本的な構造のＩＣタグ又はＩＣチップの平面図
【発明を実施する為の形態】
【０００７】以上、本願発明の実施の形態について説明する。
パチンコの玉やスロットのコインの内部に個々の識別ナンバーや店名、その他必要な情報を記録できるＩＣタグやＩＣチップを組み込む事で、店内に指定した必要なチェック場所に設置された機械内のＩＣタグやＩＣチップの情報の読み取り機により、店内で貸し出しの為、交換された数量、そして、パチンコ台やスロットマシン内での出入りの数、又遊技後に残ったパチンコの玉やスロットのコインを景品との交換をする為の数量を集計機により、カウントするまで把握・確認できるように、個々の識別ナンバーから、店名・会社名等の情報を組み込む事で把握・確認・集計する事を提供でき、その為に使用される物である。
【符号の説明】
【０００８】▲１▼パチンコの玉
▲２▼パチンコの玉に使用するＩＣタグ又はＩＣチップ
▲３▼スロットのコイン
▲４▼コインに使用するＩＣタグ又はＩＣチップ
▲５▼アンテナ
▲６▼ＩＣタグ又はＩＣチップ
▲７▼パッケージ
【図１】
2012170803.tif 000003
【図２】
2012170803.tif 000004
【図３】
2012170803.tif 000005
【図４】
2012170803.tif 000006
【図５】
2012170803.tif 000007